(57)【要約】【課題】効率的なデータ圧縮制御が可能なデータ圧縮制御装置を提供すること。【解決手段】実施形態のデータ圧縮制御装置は、設定手段と、制御手段とを含む。前記設定手段は、入力データに含まれた入力映像データを圧縮するための圧縮率を設定する。前記制御手段は、前記圧縮率に応じて、前記入力映像データの圧縮、及び前記入力データに含まれた付属データの削除を制御する。【選択図】図４
2011259100.tif 000002
【特許請求の範囲】
【請求項１】
入力データに含まれた入力映像データを圧縮するための圧縮率を設定する設定手段と、
前記圧縮率に応じて、前記入力映像データの圧縮、及び前記入力データに含まれた付属データの削除を制御する制御手段と、
を備えたデータ圧縮制御装置。
【請求項２】
前記制御手段は、前記圧縮率に応じて前記付属データに含まれた字幕データの削除を制御する請求項１に記載のデータ圧縮制御装置。
【請求項３】
前記制御手段は、第１の圧縮率に応じて前記付属データに含まれた字幕データを維持し、前記第１の圧縮率より高い第２の圧縮率に応じて前記字幕データを削除する請求項１に記載のデータ圧縮制御装置。
【請求項４】
前記制御手段は、第１の圧縮率に応じて前記付属データに含まれた第１及び第２の字幕データのうち一方を削除し、前記第１の圧縮率より高い第２の圧縮率に応じて前記第１及び第２の字幕データを削除する請求項１に記載のデータ圧縮制御装置。
【請求項５】
前記制御手段は、前記圧縮率に応じて前記付属データに含まれた音声データの削除を制御する請求項１又は２に記載のデータ圧縮制御装置。
【請求項６】
前記制御手段は、第１の圧縮率に応じて前記付属データに含まれた第１及び第２の音声データを維持し、前記第１の圧縮率より高い第２の圧縮率に応じて前記第１及び第２の音声データのうちの一方を削除する請求項１又は２に記載のデータ圧縮制御装置。
【請求項７】
前記制御手段は、前記圧縮率に応じて前記付属データに含まれたデータ放送の削除を制御する請求項１、２、及び５の何れか１項に記載のデータ圧縮制御装置。
【請求項８】
前記制御手段は、第１の圧縮率に応じて前記付属データに含まれた前記データ放送を維持し、前記第１の圧縮率より高い第２の圧縮率に応じて前記データ放送を削除する請求項１、２、及び５の何れか１項に記載のデータ圧縮制御装置。
【請求項９】
前記制御手段は、前記圧縮率に基づき、前記付属データに含まれた複数の付属項目から削除項目と非削除項目とを判別し、前記入力映像データを圧縮し、圧縮された出力映像データ及び前記非削除項目を出力するように制御する請求項１に記載のデータ圧縮制御装置。
【請求項１０】
前記制御手段は、前記圧縮率に基づき、第１の圧縮率の第１のフォーマットの前記入力映像データを第２の圧縮率の第２のフォーマットの出力映像データへ変換し、前記出力映像データ及び前記非削除項目を出力するように制御する請求項９に記載のデータ圧縮制御装置。
【請求項１１】
前記出力映像データ及び前記非削除項目を記録する記録手段を備えた請求項１０に記載のデータ圧縮制御装置。
【請求項１２】
前記制御手段は、受信したＭＰＥＧトランスポートストリームデータに対応した前記入力データに含まれた前記入力映像データの圧縮、及び前記入力データに含まれた前記付属データの削除を制御する請求項１に記載のデータ圧縮制御装置。
【請求項１３】
前記制御手段は、記録済みのＭＰＥＧトランスポートストリームデータに対応した前記入力データに含まれた前記入力映像データの圧縮、及び前記入力データに含まれた前記付属データの削除を制御する請求項１に記載のデータ圧縮制御装置。
【請求項１４】
入力データに含まれた入力映像データを圧縮するための圧縮率を設定し、
前記圧縮率に応じて、前記入力映像データの圧縮、及び前記入力データに含まれた付属データの削除を制御するデータ圧縮制御方法。
【発明の詳細な説明】
【技術分野】
【０００１】
本発明の実施形態は、データの圧縮を制御するデータ圧縮制御装置及びデータ圧縮制御方法に関する。
【背景技術】
【０００２】
近年、ＴＶ放送は、ハイビジョン番組（高精細ＡＶ情報の番組）を主な放送コンテンツとするデジタル放送の時代に突入してきた。現在実施されているＢＳデジタルＴＶ放送および地上波デジタルＴＶ放送では、ＭＰＥＧ２のトランスポートストリーム（以下、適宜ＭＰＥＧ−ＴＳと略記する）が採用されている。動画を使用したデジタル放送の分野では、今後もＭＰＥＧ−ＴＳが標準的に用いられると考えられる。このようなデジタルＴＶ放送の開始に伴って、デジタルＴＶ放送のコンテンツをそのまま録画できるストリーマのマーケットニーズが高まってきている。
【先行技術文献】
【特許文献】
【０００３】
【特許文献１】特開２００７−２８１５３７号公報
【発明の概要】
【発明が解決しようとする課題】
【０００４】
ＭＰＥＧ−ＴＳは、動画、音声等のデータに同期コード等のデータを付加し、これら動画、音声等のデータを多重化したデータである。ＭＰＥＧ−ＴＳに多重化される動画、音声データには、いくつかの符号化形式を適用することができる。ＢＳデジタルＴＶ放送および地上波デジタルＴＶ放送では、動画データの符号化形式としていずれもＭＰＥＧ２ビデオが採用されている。
【０００５】
一方、近年新しい動画符号化形式としてＨ．２６４／ＭＰＥＧ４−ＡＶＣ（以下、適宜Ｈ．２６４と略記する）が注目されている。Ｈ．２６４は、ＭＰＥＧ２ビデオよりも高い圧縮率で動画符号化が可能な画像圧縮方式であり、デジタル放送での動画符号化形式およびストリーマにより保存される動画符号化形式として注目されている。
【０００６】
近年、ＢＳデジタルＴＶ放送および地上波デジタルＴＶ放送に対応したＭＰＥＧ２ビデオの動画データをＨ．２６４の動画データに変換して、Ｈ．２６４の動画データを記録するストリーマも登場している。このようなストリーマは、例えば、オリジナルの放送データ量を減らして記録することを目的としている。この為、このようなストリーマの中には、次のようなデータ削除型のストリーマもある。例えば、データ削除型のストリーマは、ＭＰＥＧ−ＴＳに含まれたＭＰＥＧ２ビデオの動画データをＨ．２６４の動画データへ変換するだけでなく、固定化された削除指定に基づき、ＭＰＥＧ−ＴＳに含まれたデータ放送、字幕データ、及び音声データ等の複数項目のうちの削除項目を削除する。そして、データ削除型のストリーマは、Ｈ．２６４の動画データと、複数項目のうちの非削除項目とを記録する。
【０００７】
しかし、変換後の動画データのデータ量が比較的大きい場合、データ放送、字幕データ、及び音声データ等の複数項目のデータ量は相対的に小さい。そのため、固定化された削除指定に基づき、複数項目のうちの削除項目を固定的に削除せずに、状況に応じて、削除項目であっても残したい（記録したい）というニーズがある。
【０００８】
例えば、ユーザが、複数項目の中から削除項目を選択し、ストリーマが、選択された削除項目を削除し、選択されなかった項目を残し（記録し）、上記ニーズに応えることが考えられる。しかしながら、ユーザーによる削除項目の選択作業は煩雑であり、ユーザの負担になってしまう。
【０００９】
本発明の目的は、効率的なデータ圧縮制御が可能なデータ圧縮制御装置及びデータ圧縮制御方法を提供することにある。
【課題を解決するための手段】
【００１０】
実施形態のデータ圧縮制御装置は、設定手段と、制御手段とを含む。前記設定手段は、入力データに含まれた入力映像データを圧縮するための圧縮率を設定する。前記制御手段は、前記圧縮率に応じて、前記入力映像データの圧縮、及び前記入力データに含まれた付属データの削除を制御する。
【図面の簡単な説明】
【００１１】
【図１】第１の実施形態のデジタル放送記録システム（データ圧縮制御装置）の一例を示すブロック図である。
【図２】第２の実施形態のデジタル放送記録システム（データ圧縮制御装置）の一例を示すブロック図である。
【図３】システムレートと記録パラメータとを対応付けたテーブルの一例を示す図である。
【図４】トランスコーダ部によりＭＰＥＧ２ビデオの動画データをＨ．２６４の動画データに変換して出力する変換出力処理の一例を示す図である。
【発明を実施するための形態】
【００１２】
以下、図面を参照し、第１及び第２の実施形態について説明する。
【００１３】
図１は、第１の実施形態のデジタル放送記録システム（データ圧縮制御装置）の一例を示すブロック図である。デジタル放送記録システム１は、衛星デジタルＴＶ放送及び地上波デジタルＴＶ放送などで用いられるデジタルストリーム信号（ＭＰＥＧ−ＴＳ）を記録可能に構成されている。例えば、デジタル放送記録システム１は、デジタルストリーム信号のＭＰＥＧ２ビデオの動画データをＨ．２６４の動画データに変換し、Ｈ．２６４の動画データを記録することができる。
【００１４】
図１に示すように、デジタル放送記録システム１は、ＧＵＩ部１０１、制御部（制御モジュール）１０２、チューナー部１０３、パーシャライズ部１０４、トランスコーダ部（トランスコードモジュール）１０５、記録部（記録モジュール）１０６、及びストレージ部１０７などを備える。
【００１５】
ＧＵＩ部１０１は、ユーザーに各種情報を提供したり、ユーザーからの各種入力を受け付ける。ＧＵＩ部１０１は、受け付けた入力を制御部１０２へ通知する。制御部１０２は、各ブロックを統括して制御する。
【００１６】
例えば、ＧＵＩ部１０１は、メニュー情報（メニュー画面）等を出力可能に構成されている。ユーザは、ＧＵＩ部１０１により出力されるメニュー画面を介して画質を選択することがでる。ＧＵＩ部１０１は、メニュー画面を介して選択（入力）された画質情報を制御部１０２へ通知する。制御部１０２は、画質情報に基づき、デジタルストリーム信号の圧縮記録を制御する。圧縮記録の詳細については後に詳しく説明する。
【００１７】
チューナー部１０３は、リモートコントローラ等を介してユーザーにより選択されたチャンネルに従い、デジタル放送の放送波に対して復調及びデスクランブル等の処理を適用し、ＭＰＥＧ−ＴＳデータを出力する。例えば、ＭＰＥＧ−ＴＳデータは、ユーザーにより選択されたチャンネルに対応したデータを含む。或いは、ＭＰＥＧ−ＴＳデータは、ユーザーにより選択されたチャンネルに対応したデータ、及び他の１以上のチャンネルに対応したデータを含むこともある。さらに、ＭＰＥＧ−ＴＳデータは、いくつかの番組特定情報（ＰＳＩ：Ｐｒｏｇｒａｍ  Ｓｐｅｃｉｆｉｃ  Ｉｎｆｏｒｍａｔｉｏｎ）、及びいくつかのサービス情報（ＳＩ：Ｓｅｒｖｉｃｅ  Ｉｎｆｏｒｍａｔｉｏｎ）を含むこともある。
【００１８】
パーシャライズ部１０４は、チューナー部１０３から出力されたＭＰＥＧ−ＴＳデータを入力し、ターゲットのチャンネル（例えば録画指定されたチャンネル）に対応したデータを選択し、選択されたデータを出力する。データの選択結果に基づき、番組特定情報及びサービス情報は再構成される。
【００１９】
トランスコーダ部１０５は、パーシャライズ部１０４から出力された出力データに含まれたＭＰＥＧ２ビデオ（第１の形式）の動画データをＨ．２６４（第２の形式）の動画データに変換する。
【００２０】
また、制御部１０２は、画質情報に従いシステムレート（圧縮率Ｃ）を設定する。例えば、ユーザが第１の画質を選択した場合、制御部１０２は、第１のシステムレート（例えば17.0-15.0Mbps）を設定する。また、ユーザが第１の画質より低品質の第２の画質を選択した場合、制御部１０２は、第２のシステムレート（例えば14.9-10.0Mbps）を設定する。また、ユーザが第２の画質より低品質の第３の画質を選択した場合、制御部１０２は、第３のシステムレート（例えば9.9-2.0Mbps）を設定する。また、ユーザが第３の画質より低品質の第４の画質を選択した場合、制御部１０２は、第４のシステムレート（例えば1.9-1.0Mbps）を設定する。
【００２１】
さらに、制御部１０２は、図３に示すテーブルに基づき、設定されたシステムレートに対応した解像度、字幕本数、音声本数、及びデータ放送数を設定する。システムレート、解像度、字幕本数、音声本数、及びデータ放送数の設定状態を示す情報を記録制御パラメータと称し、この記録制御パラメータをトランスコーダ部１０５へ通知する。
【００２２】
トランスコーダ部１０５は、記録制御パラメータに従い、解像度を制御し、字幕本数、音声本数、及びデータ放送数を制御する。また、トランスコーダ部１０５は、動画データの変換、字幕本数、音声本数、及びデータ放送数の制御に伴いＰＳＩ、ＳＩを再構築する。
【００２３】
よって、トランスコーダ部１０５は、変換されたＨ．２６４の動画データを出力し（Ｈ．２６４の動画データの解像度は記録制御パラメータに従い制御されている）、制御された字幕本数、音声本数、及びデータ放送数を出力する。
【００２４】
記録部１０６は、トランスコーダ部１０５が出力した出力データ（Ｈ．２６４の動画データ、０以上の字幕、０以上の音声、０以上のデータ放送）を解析し、記録に必要なメタ情報を作成し、ＭＰＥＧ−ＴＳデータと共にストレージ部１０７に記録する。
【００２５】
なお、ＭＰＥＧ２ビデオの動画データを変換せずにそのまま記録する場合は、パーシャライズ部１０４から出力された出力データは、記録部１０６に入力される。ストレージ部１０７は、ＨＤＤ、ＢＤ、ＤＶＤ等の記録メディアである。
【００２６】
図２は、第２の実施形態のデジタル放送記録システム（データ圧縮制御装置）の一例を示すブロック図である。デジタル放送記録システム２は、ストレージ部２０４に記録されたデジタルストリーム信号のＭＰＥＧ２ビデオの動画データをＨ．２６４の動画データに変換し、ストレージ部２０７に対してＨ．２６４の動画データを記録することができる。つまり、デジタル放送記録システム２は、スレージ２０４に記録されたデジタルストリーム信号のＭＰＥＧ２ビデオの動画データを、ストレージ部２０７に対してダビングすることができる。
【００２７】
図２に示すように、デジタル放送記録システム２は、ＧＵＩ部２０１、制御部（制御モジュール）２０２、ストレージ部２０４、トランスコーダ部（トランスコードモジュール）２０５、記録部（記録モジュール）２０６、及びストレージ部２０７などを備える。なお、図１に示すデジタル放送記録システム１のＧＵＩ部１０１、制御部１０２、トランスコーダ部１０５、記録部１０６、及びストレージ部１０７と、図２に示すデジタル放送記録システム１のＧＵＩ部２０１、制御部２０２、トランスコーダ部２０５、記録部２０６、及びストレージ部２０７とは対応しており、対応関係にある部分はほぼ同様の機能を有している。
【００２８】
例えば、ＧＵＩ部１０１は、メニュー情報（メニュー画面）等を出力可能に構成されている。ユーザは、ＧＵＩ部１０１により出力されるメニュー画面を介して画質を選択することがでる。ＧＵＩ部１０１は、メニュー画面を介して選択（入力）された画質情報を制御部１０２へ通知する。制御部１０２は、画質情報に基づき、圧縮記録（ダビング）を制御する。圧縮記録（ダビング）の詳細については後に詳しく説明する。
【００２９】
ストレージ部２０４は、ダビング元のタイトルを記憶する。制御部２０２は、ダビング元のタイトルのＭＰＥＧ−ＴＳデータをトランスコーダ部２０５へ転送する。トランスコーダ部２０５は、ＭＰＥＧ−ＴＳデータのＭＰＥＧ２ビデオの動画データをＨ．２６４の動画データに変換する。記録部２０６は、Ｈ．２６４の動画データをストレージ部２０７へ記録する。
【００３０】
なお、上記説明では、デジタル放送記録システム２が、ストレージ部２０４の動画データをストレージ部２０７へ記録するケースについて説明したが、デジタル放送記録システム２が、所定のストレージ部に格納されたＭＰＥＧ２ビデオの動画データをＨ．２６４の動画データに変換し、前記所定のストレージ部に対してＨ．２６４の動画データを記録することもできる。
【００３１】
図３は、システムレートと記録パラメータとを対応付けたテーブルの一例を示す図である。図３に示すシステムレートの項目は、トランスコーダ部１０５、２０５から出力されるデータの時間当たりの符号量を示す。
【００３２】
また、解像度の項目は、トランスコーダ部１０５、２０５から出力される動画データの解像度を示す。例えば、第１の解像度項目（継承）は、トランスコーダ部１０５、２０５に入力された入力動画データの解像度を継承（維持）した状態で、入力動画データを出力動画データへ変換することを意味する。第２の解像度項目（720x480）は、トランスコーダ部１０５、２０５に入力された入力動画データの解像度に関係なく、所定解像度の入力動画データを720x480の解像度の出力動画データへ変換することを意味する。なお、720x480の解像度の動画データは、水平方向７２０ピクセル、垂直方向４８０ピクセルで構成されるデータを意味する。
【００３３】
また、字幕本数の項目は、トランスコーダ部１０５、２０５から出力される出力データに含まれる字幕本数を示す。例えば、第１の字幕本数項目（１本）は、トランスコーダ部１０５、２０５に入力された入力データ（ＭＰＥＧ−ＴＳ）に付属した字幕データが１本（１系列）以上であることを条件として、出力データに付属する字幕データを１本に設定することを意味する。よって、入力データに付属した字幕データが２本であれば、１本の字幕データを削除し、１本の字幕データを残すことを意味する。また、第２の字幕本数項目（０本）は、トランスコーダ部１０５、２０５に入力された入力データ（ＭＰＥＧ−ＴＳ）に付属した字幕データの本数に関係なく、出力データに付属する字幕データを０本に設定することを意味する。よって、入力データに付属する字幕データが１本以上である場合、入力データに付属する全ての字幕データを削除することを意味する。
【００３４】
また、音声本数の項目は、トランスコーダ部１０５、２０５から出力される出力データに含まれる音声本数を示す。例えば、第１の音声本数項目（２本）は、トランスコーダ部１０５、２０５に入力された入力データ（ＭＰＥＧ−ＴＳ）に付属した音声データが２本（２系列）以上であることを条件として、出力データに付属する音声データを２本に設定することを意味する。よって、入力データに付属した音声データが３本であれば、１本の音声データを削除し、２本の音声データを残すことを意味する。また、第２の音声本数項目（１本）は、トランスコーダ部１０５、２０５に入力された入力データ（ＭＰＥＧ−ＴＳ）に付属した音声データが１本以上であることを条件として、出力データに付属する音声データを１本に設定することを意味する。
【００３５】
また、データ放送数の項目は、トランスコーダ部１０５、２０５から出力される出力データに含まれるデータ放送数を示す。例えば、第１のデータ放送数項目（１本）は、トランスコーダ部１０５、２０５に入力された入力データ（ＭＰＥＧ−ＴＳ）に付属したデータ放送が１本（１系列）以上であることを条件として、出力データに付属するデータ放送を１本に設定することを意味する。よって、入力データに付属したデータ放送が２本であれば、１本のデータ放送を削除し、１本のデータ放送を残すことを意味する。また、第２のデータ放送数項目（０本）は、トランスコーダ部１０５、２０５に入力された入力データ（ＭＰＥＧ−ＴＳ）に付属したデータ放送数に関係なく、出力データに付属するデータ放送数を０本に設定することを意味する。
【００３６】
なお、図３に示すテーブルの内容は、例えば、ＧＵＩ部１０１、２０１により出力されるメニュー画面を介してユーザの意思で変更することができる。
【００３７】
図４は、トランスコーダ部１０５、２０５によりＭＰＥＧ２ビデオの動画データをＨ．２６４の動画データに変換して出力する変換出力処理の一例を示す図である。
【００３８】
上記説明したように、トランスコーダ部１０５、２０５は、制御部１０２、２０２から通知される記録制御パラメータ（システムレート、解像度、字幕本数、音声本数、及びデータ放送数）に基づき、入力データ（ＭＰＥＧ２ビデオの動画データ等）を出力データ（Ｈ．２６４の動画データ等）に変換して出力する。
【００３９】
例えば、トランスコーダ部１０５は、以下のような記録制御パラメータに基づき、以下のような入力データＤ１を以下のような出力データＤ２へ変換して出力する。
【００４０】
＜記録制御パラメータ＞
システムレート＝８Ｍｂｐｓ
解像度＝継承
字幕本数＝１本
音声本数＝１本
データ放送＝０本
＜入力データＤ１＞
動画データ（ＭＰＥＧ２、１５Ｍｂｐｓ、１４４０ｘ１０８０）
第１の音声データ（日本語）
第２の音声データ（英語）
第１の字幕データ（日本語）
第２の字幕データ（英語）
データ放送
＜出力データＤ２＞
動画データ（Ｈ．２６４、７．５Ｍｂｐｓ、１４４０ｘ１０８０）
第１の音声データ（日本語）
第１の字幕データ（日本語）
つまり、トランスコーダ部１０５は、ＭＰＥＧ２（第１の形式）の動画データを、Ｈ．２６４（第２の形式）の動画データに変換する。また、トランスコーダ部１０５は、８Ｍｂｐｓの第３のシステムレート（圧縮率Ｃ３）の指定に基づき、１５Ｍｂｐｓの動画データを、７．５Ｍｂｐｓの動画データに変換する。なお、トランスコーダ部１０５は、動画データ以外の他のデータの符号量等を考慮し、８Ｍｂｐｓより低い７．５Ｍｂｐｓを設定している。
【００４１】
また、トランスコーダ部１０５は、上記した第３のシステムレート（圧縮率Ｃ３）に応じて決定された解像度（継承）の指定に基づき、１４４０ｘ１０８０の動画データを同じく１４４０ｘ１０８０の動画データへ変換している。
【００４２】
また、トランスコーダ部１０５は、上記した第３のシステムレート（圧縮率Ｃ３）に応じて決定された音声本数（１本）の指定に基づき、入力データに付属した第１の音声データ（日本語）と第２の音声データ（英語）のうちの、第１の音声データを残し、第２の音声データを削除し、第１の音声データを付属した出力データを出力する。
【００４３】
なお、上記した第３のシステムレートより圧縮率の低い第１又は第２のシステムレート（圧縮率Ｃ１又はＣ２）が設定されている場合には、トランスコーダ部１０５は、上記した第１又は第２のシステムレート（圧縮率Ｃ１又はＣ２）に応じて決定された音声本数（２本）の指定に基づき、入力データに付属した第１の音声データ（日本語）と第２の音声データ（英語）を維持し、第１の音声データと第２の音声データを付属した出力データを出力する。
【００４４】
なお、入力データＤ１に付属した音声データが第１の音声データ（日本語）だけの場合であって、上記した第３のシステムレート（圧縮率Ｃ３）が設定されている場合には、トランスコーダ部１０５は、上記した第３のシステムレート（圧縮率Ｃ３）に応じて決定された音声本数（１本）の指定に基づき、入力データに付属した第１の音声データ（日本語）を維持し、第１の音声データを付属した出力データを出力する。
【００４５】
なお、入力データＤ１に付属した音声データが第１の音声データ（日本語）だけの場合であって、上記した第１又は第２のシステムレート（圧縮率Ｃ１又はＣ２）が設定されている場合には、トランスコーダ部１０５は、上記した第１又は第２のシステムレート（圧縮率Ｃ１又はＣ２）に応じて決定された音声本数（２本）の指定に基づき、入力データに付属した第１の音声データ（日本語）を維持し、第１の音声データを付属した出力データを出力する。
【００４６】
また、トランスコーダ部１０５は、上記した第３のシステムレート（圧縮率Ｃ３）に応じて決定された字幕本数（１本）の指定に基づき、入力データに付属した第１の字幕データ（日本語）と第２の字幕データ（英語）のうちの、第１の字幕データを残し、第２の字幕データを削除し、第１の字幕データを付属した出力データを出力する。
【００４７】
なお、上記した第３のシステムレートより圧縮率の高い第４のシステムレート（圧縮率Ｃ４）が設定されている場合には、トランスコーダ部１０５は、上記した第４のシステムレート（圧縮率Ｃ４）に応じて決定された字幕本数（０本）の指定に基づき、入力データに付属した第１の字幕データ（日本語）と第２の字幕データ（英語）を削除し、第１の字幕データと第２の字幕データのいずれも付属しない出力データを出力する。
【００４８】
なお、入力データＤ１に付属した字幕データが第１の字幕データ（日本語）だけの場合であって、上記した第３のシステムレート（圧縮率Ｃ３）が設定されている場合には、トランスコーダ部１０５は、上記した第３のシステムレート（圧縮率Ｃ３）に応じて決定された字幕本数（１本）の指定に基づき、入力データに付属した第１の字幕データ（日本語）を維持し、第１の字幕データを付属した出力データを出力する。
【００４９】
なお、入力データＤ１に付属した字幕データが第１の字幕データ（日本語）だけの場合であって、上記した第４のシステムレート（圧縮率Ｃ４）が設定されている場合には、トランスコーダ部１０５は、上記した第４のシステムレート（圧縮率Ｃ４）に応じて決定された字幕本数（０本）の指定に基づき、入力データに付属した第１の字幕データ（日本語）を削除し、第１の字幕データを付属しない出力データを出力する。
【００５０】
また、トランスコーダ部１０５は、上記した第３のシステムレート（圧縮率Ｃ３）に応じて決定されたデータ放送数（０本）の指定に基づき、入力データに付属した全てのデータ放送を削除し、データ放送を付属しない出力データを出力する。
【００５１】
なお、上記した第３のシステムレートより圧縮率の低い第１のシステムレート（圧縮率Ｃ１）が設定されている場合には、トランスコーダ部１０５は、上記した第１のシステムレート（圧縮率Ｃ１）に応じて決定されたデータ放送数（１本）の指定に基づき、入力データに付属した１以上のデータ放送のうちの一つのデータ放送を維持し、他のデータ放送を削除し、一つのデータ放送を付属した出力データを出力する。
【００５２】
以上詳述したように、デジタル放送記録システム１は、デジタル放送を記録する場合、ＭＰＥＧ２（第１の形式）の動画データを、Ｈ．２６４（第２の形式）の動画データに変換し、Ｈ．２６４の動画データを記録するとともに、さらに、ユーザーからの指示が無くても、変換後のデータ量（圧縮率）に応じて、０以上の音声データ、０以上の字幕データ、０以上のデータ放送等の複数の付属項目から、自動的に削除項目と継承項目（非削除項目）とを判別し、継承項目（非削除項目）を記録する。
【００５３】
また、デジタル放送記録システム２は、記録済みのデジタル放送を記録（ダビング）する場合、ＭＰＥＧ２（第１の形式）の動画データを、Ｈ．２６４（第２の形式）の動画データに変換し、Ｈ．２６４の動画データを記録（ダビング）するとともに、さらに、ユーザーからの指示が無くても、変換後のデータ量（圧縮率）に応じて、０以上の音声データ、０以上の字幕データ、０以上のデータ放送等の複数の付属項目から、自動的に削除項目と継承項目（非削除項目）とを判別し、継承項目（非削除項目）を記録する。
【００５４】
よって、ユーザは、音声データ、字幕データ、データ放送をどのように編集すべきか判断しなくてもよいし（どのデータを残してどのデータを削除するか判断しなくてもよいし）、勿論、判断に応じた操作（例えば削除操作）をする必要もない。ユーザは、希望の画質を選択するだけで、デジタル放送記録システム１が、選択された画質に対応したデータ量（圧縮率）を設定し、データ量（圧縮率）に応じて、音声データ、字幕データ、データ放送を削除又は継承して記録する。以上により、ユーザは、煩雑な操作から解放される。
【００５５】
なお、上記したモジュールとは、ハードウェアで実現するものであっても良いし、ＣＰＵ等を使ってソフトウェアで実現するものであってもよい。
【００５６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決できる場合には、この構成要件が削除された構成が発明として抽出され得る。
【符号の説明】
【００５７】
１０１…ＧＵＩ部、１０２…制御部、１０３…チューナー部、１０４…パーシャライズ部、１０５…トランスコーダ部、１０６…記録部、１０７…ストレージ部
【図１】
2011259100.tif 000003
【図２】
2011259100.tif 000004
【図３】
2011259100.tif 000005
【図４】
2011259100.tif 000006